(57)【要約】      （修正有）【課題】一つの被装飾部材に様々な種類の装飾部材を交換して取り付けることができ、この際、装飾部材を被装飾部材に確実に取り付けられるようにする。【解決手段】被装飾部材に配置された帯状部材３００に装飾部材を取り外し可能に取り付ける装飾具取付装置１００を、装飾取付板部１１０にヒンジ部で結合され、拡開位置Ｏ及び帯状部材を挟み込む挟持空間部を形成する挟持位置Ｃに配置可能な挟持板部１２０を備え、装飾取付板部１１０は貫通穴部１１５が２個所に開設されると共に、２つの貫通穴部１１５の中間位置に挟持空間部に向け突出した凸状部１１６を備え、略コ字状の固着金具１３０の両脚部１３１を挟持空間部から装飾取付板部１１０の２つの貫通穴部１１５に挿入し、連結部１３２を凸状部１１６に接触させつつ両脚部１３１を折り曲げて装飾部材２００を装飾取付板部１１０に固定する。【選択図】図１
0003137042.tif 000002
【実用新案登録請求の範囲】
【請求項１】
被装飾部材に配置された帯状部材に装飾部材を取り外し可能に取り付ける装飾具取付装置であって、
一方の面に前記装飾部材が取り付けられる装飾取付板部と、
この装飾取付板部にヒンジ結合され、拡開位置及び前記装飾取付板部の他方の面との間に前記帯状部材を挟み込む挟持空間部を形成する挟持位置に配置可能な挟持板部と、を備え、
前記装飾取付板部は、貫通穴部が２個所に開設されると共に、前記２つの貫通穴部の中間位置に前記挟持空間部に向け突出した凸状部を備え、
２本の脚部と両脚部を連結する連結部とからなる略コ字状の固着金具の両脚部を前記挟持空間部から前記装飾取付板部の２つの貫通穴部に挿入し、前記連結部を前記凸状部に接触させつつ前記両脚部を折り曲げて前記装飾部材を前記装飾取付板部に固定することを特徴とする装飾具取付装置。
【請求項２】
前記装飾部材は、装飾部材本体と、この装飾部材本体に取り付けられ、前記装飾取付板部に形成された２つの貫通穴部に対応する位置に開設され前記固着金具の両脚部を挿入する２つの挿入穴を備える取付板と、を備えることを特徴とする請求項１記載の装飾具取付装置。
【請求項３】
前記ヒンジ部は、前記挟持板部を前記拡開位置及び前記挟持位置に位置決めする位置決機構を備えることを特徴とする請求項１又は２記載の装飾具取付装置。
【請求項４】
前記挟持板部は前記挟持位置において前記帯状部材に係止する係止突起を備えることを特徴とする請求項１乃至３のいずれか記載の装飾具取付装置。
【考案の詳細な説明】
【技術分野】
【０００１】
本考案は、装飾取付番具に係り、特に被装飾部材に配置された帯状部材に装飾部材を取り外し可能に取り付ける装飾具取付装置に関する。
【背景技術】
【０００２】
リボン等の装飾部材を靴等の被装飾部材に取り付けるに際しては金具が使用されることがある。靴に飾りリボンに取り付ける金具として、特許文献１には、取付孔を底部に穿設し、この底部の両側に側壁を設けて略Ｕ字状の挟持を形成し、挟持体の取付孔に座部の中央に脚筒部を有する取付体を挿通し、この挟持体の両側壁問に飾りリボンを挟持して挟持体と取付体を固着してなる靴用飾りリボンの取付金具が記載されている。
【特許文献１】実公昭６１―４０１６８号公報
【考案の開示】
【考案が解決しようとする課題】
【０００３】
しかしながら、上述した特許文献１に記載の取付金具は一足の靴に１種類の飾りリボンを取り付けるものであり、取り付けた飾りリボンを取り外すことを前提としていないため、飾りリボンを交換することができない。
【０００４】
ところで、このような装飾具取付装置にあっては、装飾部材を確実に被装飾部材に取り付ける必要がある。またこのような装飾具取付装置では、靴等の被装飾部材に、所望の飾りリボン等の装飾部材を交換可能に取り付けることができると、一足の靴に様々な装飾部材を取り付けることができ便利であり、被装飾部材に取り付ける装飾部材を容易に交換できる装飾具取付装置が要望されている。
【０００５】
そこで、本考案は、一つの被装飾部材に様々な種類の装飾部材を交換して取り付けることができ、この際、装飾部材を被装飾部材に確実に取り付けることができる装飾具取付装置を提供することを課題とする。
【課題を解決するための手段】
【０００６】
請求項１の考案は、被装飾部材に配置された帯状部材に装飾部材を取り外し可能に取り付ける装飾具取付装置であって、一方の面に前記装飾部材が取り付けられる装飾取付板部と、この装飾取付板部にヒンジ結合され、拡開位置及び前記装飾取付板部の他方の面との間に前記帯状部材を挟み込む挟持空間部を形成する挟持位置に配置可能な挟持板部と、を備え、前記装飾取付板部は、貫通穴部が２個所に開設されると共に、前記２つの貫通穴部の中間位置に前記挟持空間部に向け突出した凸状部を備え、２本の脚部と両脚部を連結する連結部とからなる略コ字状の固着金具の両脚部を前記挟持空間部から前記装飾取付板部の２つの貫通穴部に挿入し、前記連結部を前記凸状部に接触させつつ前記両脚部を折り曲げて前記装飾部材を前記装飾取付板部に固定することを特徴とする装飾具取付装置である。
【０００７】
請求項２の考案は、請求項１記載のである装飾具取付装置において、前記装飾部材は、装飾部材本体と、この装飾部材本体に取り付けられ、前記装飾取付板部に形成された２つの貫通穴部に対応する位置に開設され前記固着金具の両脚部を挿入する２つの挿入穴を備える取付板と、を備えることを特徴とする。
【０００８】
請求項３の考案は、請求項１又は２記載の装飾具取付装置において、前記ヒンジ部は、前記挟持板部を前記拡開位置及び前記挟持位置に位置決めする位置決機構を備えることを特徴とする。
【０００９】
請求項４の考案は、請求項１乃至３のいずれか記載の装飾具取付装置において、前記挟持板部は前記挟持位置において前記帯状部材に係止する係止突起を備えることを特徴とする。
【考案の効果】
【００１０】
本考案に係る装飾具取付装置によれば、一つの被装飾部材に様々な種類の装飾部材を交換して取り付けることができる他、この際、装飾部材を被装飾部材に確実に取り付けることができる。
【考案を実施するための最良の形態】
【００１１】
以下本考案を実施するための装飾具取付装置の最良の形態を図面に基づいて説明する。図１は実施の形態例に係る装飾具取付装置の分解斜視図、図２は装飾具取付装置の拡開状態を示す斜視図、図３は装飾具取付装置の挟持状態を示す斜視図、図４は装飾具取付装置の拡開状態を示す側面図、図６は装飾具取付装置の挟持状態を示す図３中のＡ−Ａ線に相当する断面図、図７は装飾具取付装置の挟持状態を示す図３中のＢ−Ｂ線に相当する断面図である。
【００１２】
本例に係る装飾具取付装置１００は、靴等の被装飾部材に設けられた帯状部材３００に取り外し可能に取り付けられ、例えば革製飾りリボン２１０と革製の取付部材２２０からなる装飾部材２００を被装飾部材に取り付けるものである。装飾具取付装置１００は、装飾部材２００が取り付けられる装飾取付板部１１０と、この装飾取付板部１１０に開放位置とＣ（図５参照）に配置されるヒンジ結合される挟持板部１２０と、取付板１４０を装飾取付板部１１０に取り付ける固着金具１３０とからなる。
【００１３】
装飾部材２００は、固着金具１３０で装飾取付板部１１０に固着され、挟持板部１２０を挟持位置Ｃにしたとき、装飾取付板部１１０と挟持板部１２０との間には、挟持空間部１７０が形成され、上記帯状部材３００は挟持空間部１７０において、装飾取付板部１１０と、挟持板部１２０とに挾まれることにより、装飾部材２００は被装飾部材に固着される。
【００１４】
装飾取付板部１１０は、弾性を備えた例えばステンレス鋼製の薄板で構成された取付板本体１１１の一縁から２本の溝部１１２，１１２が切欠形成されて構成され、各溝部１１２，１１２の外側にヒンジ部を形成する湾曲突片１１３，１１３が、各溝部１１２，１１２の間には、ヒンジ部を形成する弾性を備えた直状突片１１４が形成されている。また、取付板本体１１１には前記溝部１１２，１１２の両側部に前記固着金具１３０が貫通される貫通穴部１１５，１１５が開設されている。
【００１５】
挟持板部１２０は、例えばステンレス鋼の薄板で構成された挟持板本体１２１の一縁から、立設部１２２が折り曲げ形成され、立設部１２２の両側部からヒンジ部を構成する２枚の凸片部１２３，１２３が形成されている他、挟持板部１２０が挟持位置Ｃに配置されたとき、被装飾部材の帯状部材３００に突き刺され装飾具取付装置１００を帯状部材に固定する張出部１２４，１２４が切り起こし形成されている。
【００１６】
前記凸片部１２３，１２３は、前記湾曲突片１１３，１１３の内部に配置され、挟持板部１２０を装飾取付板部１１０に対して回動可能に支持するヒンジ部１５０を形成する。
【００１７】
また、固着金具１３０は、塑性変形可能な金属薄板で形成され、前記貫通穴部１１５，１１５に挿入される２本の脚部１３１，１３１と、この両脚部の基部を連結する連結部１３２とからなる。本例では、前記取付部材２２０には、前記貫通穴部１１５，１１５と堂間隔にそう脚部１３１は前記貫通穴部１１５，１１５と同間隔に２つの挿通穴部２２２，２２２が開設されており、固着金具１３０の脚部１３１，１３１は、装飾取付板部１１０の貫通穴部１１５，１１５と、取付部材２２０の挿通穴部２２２，２２２を貫通して２２０の反挿入側面で折り曲げられ装飾部材２００は、装飾取付板部１１０に固着される。
【００１８】
本例では、ヒンジ部１５０は、挟持板部１２０を、挟持板部１２０が装飾取付板部１１０に対して開いた開放位置（図２及び図４）と、挟持板部１２０が装飾取付板部１１０に近接して、装飾取付板部１１０との間に帯状部材３００を挟む挟持空間部１７０を形成して装飾具取付装置１００を被装飾部材に固定する挟持位置Ｃに配置する。
【００１９】
本例では、挟持板部１２０をヒンジ部１５０で回動させたとき、凸片部１２３，１２３及び湾曲突片１１３，１１３の形状、及び直状突片１１４の弾性により、挟持板部１２０が前記開放位置若しくは挟持位置Ｃに向け付勢する。
【００２０】
また、装飾取付板部１１０の直状突片１１４から取付板本体１１１にかけては、挟持空間部１７０方向に突出形成された凸状部１１６を備える。この凸状部１１６は前記固着金具１３０が装飾取付板部１１０に取り付けられ装飾部材２００が固定されるに際して、図７に示すように、固着金具１３０の連結部１３２に接触する。このため、固着金具１３０は、連結部１３２において、凸状部１１６、貫通穴部１１５，１１５の周縁の３個所に小さい面積で接触して固着金具１３０を確実に装飾取付板部１１０に取り付けることができる。また、図７に示すように、凸状部１１６は、挟持空間部１７０に突出するので挟持空間部１７０内における帯状部材３００のゆるみを防止する。これにより、装飾具取付装置１００は、被装飾部材の帯状部材に強固に固定される。
【００２１】
次に本例に係る装飾具取付装置１００によって装飾部材２００を被装飾部材に取り付ける手順について説明する。まず、装飾部材２００を装飾具取付装置１００に取り付ける。これには、装飾部材２００の取付部材２２０を装飾取付板部１１０に取り付ける。取付部材２２０の挿通穴部２２２，２２２を装飾取付板部１１０の貫通穴部１１５，１１５の位置に合わせ、貫通穴部１１５，１１５及び挿通穴部２２２，２２２に固着金具１３０の脚部１３１，１３１を挿通し、脚部１３１，１３１を取付部材２２０の裏側で折り曲げる。このとき、連結部１３２を装飾取付板部１１０の凸状部１１６及び貫通穴部１１５，１１５の縁部にしっかりと接触させる。これにより、取付部材２２０は、装飾取付板部１１０に強固に取り付けられる。そして、この取付部材２２０にリボン２１０を接着材等で取り付ける。これにより、装飾部材２００を装飾具取付装置１００に取り付けられる。
【００２２】
次に、装飾部材２００が取り付けられた装飾具取付装置１００を被装飾部材の帯状部材３００に取り付ける。まず、装飾具取付装置１００の挟持板部１２０を拡開位置Ｏ（図４参照）に配置する。挟持板部１２０はヒンジ部１５０を軸として回転し、挟持板部１２０の凸片部１２３，１２３が湾曲突片１１３，１１３と、直状突片１１４とに挟まれてそれらの弾性で拡開位置Ｏに固定される。次いで、装飾取付板部１１０と挟持板部１２０とで帯状部材３００を挟み込み、挟持板部１２０を閉じて挟持板部１２０を挟持位置Ｃに移動させる。挟持板部１２０はヒンジ部１５０を軸として回転し、挟持板部１２０の凸片部１２３，１２３が湾曲突片１１３，１１３と、直状突片１１４とに挟まれてそれらの弾性で挟持位置Ｃに固定される。
【００２３】
このとき、帯状部材３００には、張出部１２４，１２４が突き刺さり帯状部材３００を装飾取付板部１１０と挟持板部１２０との間に固定すると共に、挟持空間部１７０において凸状部１１６が装飾部材２００を押しつけ、装飾具取付装置１００は帯状部材３００に確実に取り付けられる。そして、挟持板部１２０はヒンジ部１５０を軸として回転し、挟持板部１２０の凸片部１２３，１２３が湾曲突片１１３，１１３と、直状突片１１４とに挟まれてそれらの弾性で拡開位置Ｏに固定される。
【００２４】
装飾具取付装置１００を被装飾部材の帯状部材３００から取り外す際には、挟持板部１２０を挟持位置Ｃから拡開位置Ｏに移動すれば、張出部１２４，１２４が帯状部材３００から外れ、装飾具取付装置１００は帯状部材３００から容易に取り外すことができるようになる。
【００２５】
以上説明したように、本例に係る装飾具取付装置１００によれば、装飾部材２００を装飾具取付装置１００により被装飾部材の帯状部材３００に取り外し可能に取り付けることができるので、被装飾部材に様々な形態の装飾部材２００を交換して取り付けることができる。また装飾具取付装置１００の装飾取付板部１１０には凸状部１１６を設けたので、装飾部材２００を固着金具１３０で装飾取付板部１１０に確実に取り付けることができる他、帯状部材３００を装飾取付板部１１０と挟持板部１２０の間に確実に保持することができる。
【図面の簡単な説明】
【００２６】
【図１】実施の形態例に係る装飾具取付装置の分解斜視図である。
【図２】装飾具取付装置の拡開状態を示す斜視図である。
【図３】装飾具取付装置の挟持状態を示す斜視図である。
【図４】装飾具取付装置の拡開状態を示す側面図である。
【図５】装飾具取付装置の挟持状態を示す側面図である。
【図６】装飾具取付装置の挟持状態を示す図３中のＡ−Ａ線に相当する断面図である。
【図７】装飾具取付装置の挟持状態を示す図３中のＢ−Ｂ線に相当する断面図である。
【符号の説明】
【００２７】
１００  装飾具取付装置
１１０  装飾取付板部
１１１  取付板本体
１１２，１１２  溝部
１１３，１１３  湾曲突片
１１４  直状突片
１１５，１１５  貫通穴部
１１６  凸状部
１２０  挟持板部
１２１  挟持板本体
１２２  立設部
１２３，１２３  凸片部
１２４，１２４  張出部
１３０  固着金具
１３１，１３１  脚部
１３２  連結部
１４０  取付板
１５０  ヒンジ部
１７０  挟持空間部
２００  装飾部材
２１０  リボン
２２０  取付部材
２２２，２２２  挿通穴部
３００  帯状部材
Ｃ  挟持位置
Ｏ  拡開位置
【図１】
0003137042.tif 000003
【図２】
0003137042.tif 000004
【図３】
0003137042.tif 000005
【図４】
0003137042.tif 000006
【図５】
0003137042.tif 000007
【図６】
0003137042.tif 000008
【図７】
0003137042.tif 000009